(57)【要約】【課題】制御型デバイスにとって適切な圧力の動作範囲に対応する圧力の範囲を提供すること。【解決手段】作動液の圧力源と、作動液リザーバと、作動液制御型デバイスと共に使用するための調整バルブであって、該調整バルブは、該作動液の圧力源と動作可能なように接続可能な圧力供給ポートと、該リザーバに動作可能なように接続可能な排出ポートと、該制御型デバイスと動作可能なように接続可能な制御ポートと、を有するバルブボディと、ソレノイドと、該ソレノイドの影響下で、最低の制御ポート圧力を有する第一の状況から、最高の制御ポート圧力を有する第二の状況までの範囲全体で該バルブをシフトさせるように、該バルブボディ内を移動可能なスロットリング部材と、を備える、バルブ。【選択図】図１
2007333211.tif 000002
【特許請求の範囲】
【請求項１】
作動液の圧力源と、作動液リザーバと、作動液制御型デバイスと共に使用するための調整バルブであって、該調整バルブは、
該作動液の圧力源と動作可能なように接続可能な圧力供給ポートと、該リザーバに動作可能なように接続可能な排出ポートと、該制御型デバイスと動作可能なように接続可能な制御ポートと、を有するバルブボディと、
ソレノイドと、
該ソレノイドの影響下で、最低の制御ポート圧力を有する第一の状況から、最高の制御ポート圧力を有する第二の状況までの範囲全体で該バルブをシフトさせるように、該バルブボディ内で移動可能なスロットリング部材と
を備え、
該バルブボディは、該供給ポートから該排出ポートまで延びる排出流路内にボアをさらに有しており、該ボアは静止したスロットリングコーナーを有する円筒内面によって境界が定められており、該スロットリング部材は、該静止したスロットリングコーナーに向けた同軸上の移動において排出の流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされている、バルブ。
【請求項２】
前記バルブボディは、前記供給ポートと、前記排出および制御ポートとの間にバルブシートを有し、ボールは、前記バルブが前記第一の状況の場合には、該供給ポートにおける前記作動液の圧力下で該シート上に据え付けられ、前記スロットリング部材は、該第一の状況の外へ該バルブをシフトさせると、該シートから離れるように該ボールを押すように動作する、請求項１に記載の装置。
【請求項３】
前記スロットリング部材および前記バルブボディは、前記バルブが前記第二の状況である場合には、前記供給ポートと前記排出ポートとの間に軸上に隣接する表面から自由である、請求項１に記載の装置。
【請求項４】
前記スロットリング部材は、前記移動可能なスロットリングコーナーと接する端面を有し、前記バルブボディは対向する内面を有し、該スロットリング部材の該端面全体は、前記バルブが前記第二の状況である場合には、該バルブボディの対向する内面から離れて空間をあけられる、請求項１に記載の装置。
【請求項５】
前記スロットリング部材は、前記バルブが前記第一の状況である場合には、全体が前記ボアの外側にある、請求項１に記載の装置。
【請求項６】
前記スロットリング部材は、スプールである、請求項１に記載の装置。
【請求項７】
前記スプールは反対側の終端を有し、該反対側の終端間に単一の円筒側面を有する、請求項６に記載の装置。
【請求項８】
前記スロットリング部材は、前記静止したスロットリングコーナーに対する同軸上の移動に対して該スロットリング部材をサポートするために、前記ボア内に留まるように構成されるガイド部分を有する、請求項１に記載の装置。
【請求項９】
前記スロットリング部材の前記ガイド部分は、作動液の流路を有する、請求項８に記載の装置。
【請求項１０】
作動液の圧力源と、
作動液のリザーバと、
作動液制御型デバイスと、
該作動液の圧力源と動作可能なように接続される供給ポートと、該リザーバと動作可能なように接続される排出ポートと、該制御型デバイスと動作可能なように接続される制御ポートと、ソレノイドと、該ソレノイドの影響下で、バルブボディ内を、最低の制御ポート圧力を有する第一の状況から、最高の制御ポート圧力を有する第二の状況までの範囲全体で該バルブをシフトさせるように移動可能なスロットリング部材と、を有する調整バルブと
を備える装置であって、
該バルブは、該供給ポートから該排出ポートまで延びる排出流路内にボアをさらに有しており、該ボアは、静止したスロットリングコーナーを有する円筒内面によって境界が定められており、該スロットリング部材は、該静止したスロットリングコーナーに向けた同軸上の移動において排出流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされている、装置。
【請求項１１】
前記バルブボディは、前記供給ポートと、前記排出および制御ポートとの間にバルブシートを有し、ボールは、前記バルブが前記第一の状況の場合には、該供給ポートにおける前記作動液の圧力によって該シート上に据え付けられ、前記スロットリング部材は、該第一の状況の外へ該バルブをシフトさせると、該シートから離れるように該ボールを押すように動作する、請求項１０に記載の装置。
【請求項１２】
前記スロットリング部材および前記バルブボディは、前記バルブが前記第二の状況である場合には、前記供給ポートと前記排出ポートとの間に軸上に隣接する表面から自由である、請求項１０に記載の装置。
【請求項１３】
前記スロットリング部材は、前記移動可能なスロットリングコーナーと接する端面を有し、前記バルブボディは対向する内面を有し、該スロットリング部材の該端面全体は、前記バルブが前記第二の状況である場合には、該バルブボディの対向する内面から離れて空間をあけられる、請求項１０に記載の装置。
【請求項１４】
前記スロットリング部材は、前記バルブが前記第一の状況である場合には、全体が前記ボアの外側にある、請求項１０に記載の装置。
【請求項１５】
前記スロットリング部材は、スプールである、請求項１０に記載の装置。
【請求項１６】
前記スプールは反対側の終端を有し、該反対側の終端間に単一の円筒側面を有する、請求項１５に記載の装置。
【請求項１７】
前記スロットリング部材は、前記静止したスロットリングコーナーに対する同軸上の移動に対して該スロットリング部材をサポートするために、前記ボア内に留まるように構成されるガイド部分を有する、請求項１０に記載の装置。
【請求項１８】
前記スロットリング部材の前記ガイド部分は、作動液の流路を有する、請求項１７に記載の装置。
【請求項１９】
前記制御型デバイスは車両の変速機におけるバルブである、請求項１０に記載の装置。
【発明の詳細な説明】
【技術分野】
【０００１】
（関連出願）
本出願は、２００６年６月１３日に出願された米国特許仮出願第６０／８１３，１４６号の優先権の利益を主張するものであり、上記仮出願は参照によって援用される。
【０００２】
（技術分野）
本技術は、作動液制御型デバイスのための作動液の圧力を調整するバルブに関連する。
【背景技術】
【０００３】
（背景技術）
車両の変速機におけるバルブのような作動液制御型デバイスは、作動液回路において、リザーバおよびポンプまたは他の作動液の圧力源と接続され得る。ポンプの出力圧力は、通常は、制御型デバイスを動作させるために必要とされる値よりも高い定常値を有する。圧力調整バルブは、制御型デバイスにとって適切な圧力の動作範囲に対応する圧力の範囲を提供するために、ポンプと制御型デバイスとの間の回路に接続され得る。
【発明の開示】
【課題を解決するための手段】
【０００４】
（概略）
請求される発明は、作動液制御型デバイスのための調整バルブを提供する。調整バルブは、作動液の圧力源と動作可能なように接続可能な圧力供給ポートを有するバルブボディを含む。バルブボディ上の排出ポートは、リザーバと動作可能なように接続可能であり、制御ポートは制御型デバイスと動作可能なように接続可能である。最低の制御ポート圧力を有する第一の状況から、最高の制御ポート圧力を有する第二の状況までの範囲全体でバルブをシフトさせるように、ソレノイドは、バルブボディ内でスロットリング部材を移動させる。
【０００５】
バルブボディは、供給ポートから排出ポートまで延びる排出流路内にボアをさらに有する。ボアは静止したスロットリングコーナーを有する円筒内面によって境界が定められている。スロットリング部材の円筒外面は、移動可能なスロットリングコーナーを有する。スロットリング部材上の移動可能なスロットリングコーナーは、バルブボディ上の静止したスロットリングコーナーに向けた同軸上の移動において排出流路を圧縮することによって、バルブを第二の状況にシフトさせるようにサイズを合わせられる。移動可能なスロットリングコーナーおよび円筒外面は、静止したスロットリングコーナーを通過するボアへの同軸上の移動において、バルブを第二の状況にシフトさせるように共にサイズを合わせられる。
【０００６】
本発明は、さらに、以下の手段を提供する。
【０００７】
（項目１）
作動液の圧力源と、作動液リザーバと、作動液制御型デバイスと共に使用するための調整バルブであって、該調整バルブは、
該作動液の圧力源と動作可能なように接続可能な圧力供給ポートと、該リザーバに動作可能なように接続可能な排出ポートと、該制御型デバイスと動作可能なように接続可能な制御ポートと、を有するバルブボディと、
ソレノイドと、
該ソレノイドの影響下で、最低の制御ポート圧力を有する第一の状況から、最高の制御ポート圧力を有する第二の状況までの範囲全体で該バルブをシフトさせるように、該バルブボディ内で移動可能なスロットリング部材と
を備え、
該バルブボディは、該供給ポートから該排出ポートまで延びる排出流路内にボアをさらに有しており、該ボアは静止したスロットリングコーナーを有する円筒内面によって境界が定められており、該スロットリング部材は、該静止したスロットリングコーナーに向けた同軸上の移動において排出の流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされている、バルブ。
【０００８】
（項目２）
上記バルブボディは、上記供給ポートと、上記排出および制御ポートとの間にバルブシートを有し、ボールは、上記バルブが上記第一の状況の場合には、該供給ポートにおける上記作動液の圧力下で該シート上に据え付けられ、上記スロットリング部材は、該第一の状況の外へ該バルブをシフトさせると、該シートから離れるように該ボールを押すように動作する、項目１に記載の装置。
【０００９】
（項目３）
上記スロットリング部材および上記バルブボディは、上記バルブが上記第二の状況である場合には、上記供給ポートと上記排出ポートとの間に軸上に隣接する表面から自由である、項目１に記載の装置。
【００１０】
（項目４）
上記スロットリング部材は、上記移動可能なスロットリングコーナーと接する端面を有し、上記バルブボディは対向する内面を有し、該スロットリング部材の該端面全体は、上記バルブが上記第二の状況である場合には、該バルブボディの対向する内面から離れて空間をあけられる、項目１に記載の装置。
【００１１】
（項目５）
上記スロットリング部材は、上記バルブが上記第一の状況である場合には、全体が上記ボアの外側にある、項目１に記載の装置。
【００１２】
（項目６）
上記スロットリング部材は、スプールである、項目１に記載の装置。
【００１３】
（項目７）
上記スプールは反対側の終端を有し、該反対側の終端間に単一の円筒側面を有する、項目６に記載の装置。
【００１４】
（項目８）
上記スロットリング部材は、上記静止したスロットリングコーナーに対する同軸上の移動に対して該スロットリング部材をサポートするために、上記ボア内に留まるように構成されるガイド部分を有する、項目１に記載の装置。
【００１５】
（項目９）
上記スロットリング部材の上記ガイド部分は、作動液の流路を有する、項目８に記載の装置。
【００１６】
（項目１０）
作動液の圧力源と、
作動液のリザーバと、
作動液制御型デバイスと、
該作動液の圧力源と動作可能なように接続される供給ポートと、該リザーバと動作可能なように接続される排出ポートと、該制御型デバイスと動作可能なように接続される制御ポートと、ソレノイドと、該ソレノイドの影響下で、バルブボディ内を、最低の制御ポート圧力を有する第一の状況から、最高の制御ポート圧力を有する第二の状況までの範囲全体で該バルブをシフトさせるように移動可能なスロットリング部材と、を有する調整バルブと
を備える装置であって、
該バルブは、該供給ポートから該排出ポートまで延びる排出流路内にボアをさらに有しており、該ボアは、静止したスロットリングコーナーを有する円筒内面によって境界が定められており、該スロットリング部材は、該静止したスロットリングコーナーに向けた同軸上の移動において排出流路を圧縮することによって、該バルブを該第二の状況にシフトさせるようにサイズを合わされた、移動可能なスロットリングコーナーを有する円筒外面を有しており、該移動可能なスロットリングコーナーおよび該円筒外面は、該静止したスロットリングコーナーを通過する該ボアへの同軸上の移動において、該バルブを該第二の状況にシフトさせるように共にサイズを合わされている、装置。
【００１７】
（項目１１）
上記バルブボディは、上記供給ポートと、上記排出および制御ポートとの間にバルブシートを有し、ボールは、上記バルブが上記第一の状況の場合には、該供給ポートにおける上記作動液の圧力によって該シート上に据え付けられ、上記スロットリング部材は、該第一の状況の外へ該バルブをシフトさせると、該シートから離れるように該ボールを押すように動作する、項目１０に記載の装置。
【００１８】
（項目１２）
上記スロットリング部材および上記バルブボディは、上記バルブが上記第二の状況である場合には、上記供給ポートと上記排出ポートとの間に軸上に隣接する表面から自由である、項目１０に記載の装置。
【００１９】
（項目１３）
上記スロットリング部材は、上記移動可能なスロットリングコーナーと接する端面を有し、上記バルブボディは対向する内面を有し、該スロットリング部材の該端面全体は、上記バルブが上記第二の状況である場合には、該バルブボディの対向する内面から離れて空間をあけられる、項目１０に記載の装置。
【００２０】
（項目１４）
上記スロットリング部材は、上記バルブが上記第一の状況である場合には、全体が上記ボアの外側にある、項目１０に記載の装置。
【００２１】
（項目１５）
上記スロットリング部材は、スプールである、項目１０に記載の装置。
【００２２】
（項目１６）
上記スプールは反対側の終端を有し、該反対側の終端間に単一の円筒側面を有する、項目１５に記載の装置。
【００２３】
（項目１７）
上記スロットリング部材は、上記静止したスロットリングコーナーに対する同軸上の移動に対して該スロットリング部材をサポートするために、上記ボア内に留まるように構成されるガイド部分を有する、項目１０に記載の装置。
【００２４】
（項目１８）
上記スロットリング部材の上記ガイド部分は、作動液の流路を有する、項目１７に記載の装置。
【００２５】
（項目１９）
上記制御型デバイスは車両の変速機におけるバルブである、項目１０に記載の装置。
【００２６】
（摘要）
バルブボディは供給ポートから排出ポートまで延びる排出流路内にボアを有する。ボアは、静止したスロットリングコーナーを有する円筒内面によって境界が定められる。スロットリング部材の円筒外面は、移動可能なスロットリングコーナーを有する。スロットリング部材上の移動可能なスロットリングコーナーは、バルブボディ上の静止したスロットリングコーナーに向けた同軸上の移動において排出流路を圧縮するようにサイズを合わせられる。移動可能なスロットリングコーナーおよび円筒外面は、静止したスロットリングコーナーを通過するボアへの同軸上の移動において、排出流路を閉じるように共にサイズを合わせられる。
【発明を実施するための最良の形態】
【００２７】
（詳細な記載）
図面に示される構造は、特許請求の範囲に列挙される要素の例である部分を有する。図示された構造は結果として、当業者がどのように請求された発明を構成し、使用し得るかの例を含む。これらは、特許請求の範囲に列挙されない限定を課すことなしに、作動可能性および最良のモードを提供するために本明細書に記載される。
【００２８】
図１に概略的に示される装置１０は、車両のための自動変速機システムの一部である。図１に示される装置１０の一部は、トランスミッション液のリザーバ１２、トランスミッション液を循環させるためのポンプ１４、作動液の圧力によって動作されるギアシフトバルブ１６を含む。圧力調整バルブ１８は、ポンプ１４とギアシフトバルブ１６との間に挿入される。動作中に、圧力調整バルブ１８は、制御装置２０の管理下でギアシフトバルブ１６に制御圧力Ｐｃを提供する。
【００２９】
圧力調整バルブ１８は、通常、長手方向の中心軸３１を有する円筒構造である。バルブ１８の一端のソレノイドハウジング３２は、コイル３４、アーマチャ３６およびバネ３８を含む。コイル３４は、制御装置２０によって活性化される。アーマチャ３６は、コイル３４の活性化状況に従って、バネ３８のバイアスによって、およびバネ３８のバイアスに対抗して、軸３１に沿って前後に交互に移動可能である。
【００３０】
バルブボディ５０は、バルブ１８の反対の端に配置され、ハウジング３２から長手方向に突き出る。図示を明確にするために、この例におけるバルブボディ５０は、単一の部分として概略的に示される。バルブボディ５０の第一の円筒内面５２は、軸３１を中心にする第一の円筒ボア５３を定義する。円筒排出スプール６０は、軸３１に沿って前後にスライドするようにボア５３内に密着する。図２の拡大図に最も良く示されるように、スプール６０は、円筒側面６２および円形の外端面６６を有する。スプール６０がボア５３内で、近接する円筒表面５２および６２の間を半径方向の最小限のゆとりでスライドし得るように、円筒側面６２の直径は円筒内面５２の直径に近付く。スプール６０は、外端面６６が側面６２と交わるコーナーに円形のスロットリングエッジ６８をさらに有する。タペット（ｔａｐｐｅｔ）またはピントル（ｐｉｎｔｌｅ）７０は外端面６６から同軸上に突き出る。
【００３１】
排出アニュラス７３は、第一のボア５３から放射状に外側に広がる。排出アニュラス７３は、バルブボディ５０の周辺部の排出ポート７５と連絡する。第二の円筒内面７６（図２）は排出アニュラス７３から軸上に延びる第二の円筒ボア７７を定義する。第二のボア７７は、第一のボア５３と同一の直径を有する。環状の内面７８は第二の円筒内面７６から外側に放射状に広がり、バルブボディ５０は、これら二つの表面７６および７８が交わるコーナーに円形のスロットリングエッジ８０を有する。制御経路８１は、第二のボア７７とバルブボディ５０の周辺部の制御ポート８３とが連絡するように、外側に放射状に広がる。
【００３２】
図２にさらに示されるように、第三の円筒内面８６は第三のボア８７を定義する。第三のボア８７は、第二のボア７７から、供給ポート９１を有する注入チャンバ８９まで同軸上に延びる。円錐面９４は、第三のボア８７から外側に軸上にかつ放射状に広がり、バルブシートを定義する。ボール９６は、チャンバ８９において、バルブシート９４とボールストップ構造９８との間を移動可能である。図１および図２に示されるように、図示される例におけるボール９６は、円錐面９４が第三のボア８７の開口端を囲む円形のエッジから軸上にかつ放射状に間隔を空けられた位置において、バルブシート９４との接線に据え付けられる。しかしながら、代わりに、バルブ１８は、円形のエッジにおいて、バルブシート９４との接線に据え付けられるボールを有し得る。
【００３３】
図１を再び参照して、装置１０は、供給ポート９１とポンプ１４とを接続する管路と、制御ポート８３とギアシフトバルブ１６とを接続する管路と、排出ポート７５とリザーバ１２とを接続する管路とを含む。制御装置２０は、圧力調整バルブ１８をシフトさせることによってギアシフトバルブ１６を動作し、制御ポート８３における作動液の圧力Ｐｃを変更する。圧力調整バルブ１８の様々な状況は、図１および図２に示されるような完全に閉じた状況、中間的な範囲の状況（例えば、図３に示されるような状況）、および図４に示されるような完全に開いている状況を含む。
【００３４】
バルブ１８が、図１および図２の完全に閉じた状況の場合には、ボール９６は、供給ポート９１における作動液の圧力Ｐｓ下でバルブシート９４上に据え付けられる。これは、制御圧力Ｐｃおよび排出圧力Ｐｅの両方が実質的に０になるように、制御ポート８３および排出ポート７５を供給ポート９１から効果的に分離する。ボール９６を通過する少量の漏れが、バルブ１８が完全に閉じた状況の場合には発生し得るが、少ない漏れが排出ポート７５を通って徐々に排出され、制御圧力Ｐｃおよび排出圧力Ｐｅに有意な効果を有さない。
【００３５】
制御装置２０は、図１で見られるように、コイル３４を活性化または不活性化させることによってアーマチャ３６を軸３１に沿って左から右に移動させ、完全に閉じた状況の外へバルブ１８をシフトさせる。次いで、アーマチャ３６は、図３に示されるようにピントル７０が、ボール９６がバルブシート９４から離れて移動し始めるように、スプール６０およびピントル７０を軸３１に沿って押す。これはポンプ１４によって提供される供給圧力Ｐｓ下で、注入チャンバ８９から第三のボア８７まで、ボール９６を通過するトランスミッション液の流れを開始する。ピントル７０がボール９６を軸３１に沿って左から右に移動させる場合に、スプール６０のスロットリングコーナー６８は、バルブボディ５０のスロットリングコーナー８０に向けて軸上を同時に移動し、第二のボア７７から排出アニュラス７３まで延びる流体の流路を圧縮する。これは制御ポート８３における制御圧力Ｐｃを増加させる効果を有する。スロットリングエッジ６８および８０が軸上を離れるように移動するように、コイル３４を不活性化または活性化し、スプール６０を軸上後方に、元の位置に向かって移動させることによって、逆の効果が達成される。これは流域を排出アニュラス７３まで増加させ、同時に、供給圧力Ｐｓが、その位置における流域の相応する圧縮によってボール９６をバルブシート９４に向かって戻らせることを可能にする。このようにして、制御圧力Ｐｃはスプール６０の軸上の位置を変更することによって変更される。
【００３６】
図４に示されるようにスプール６０のスロットリングコーナー６８が、バルブボディ５０のスロットリングコーナー８０を通過して軸上に移動し、第二のボア７７に入る場合に、ピントル７０は、ボール９６をバルブシート９４から完全に離れるように移動させ、バルブ１８は完全に開いている状況に到達する。第二のボア７７から排出アニュラス７３までの流体の流路は、上記した少ない漏れの発生を除いて、完全に閉じるが、注入チャンバ８９から第三のボア８７を通って第二のボア７７に入る流体の流路は、完全に開く。このことは、制御圧力Ｐｃが供給圧力Ｐｓに近付くレベルにまで制御圧力Ｐｃを増加させる効果を有する。
【００３７】
バルブ１８が完全に開いている状況の場合には、スプール６０の外端面６６は、バルブボディ５０の対向する内面９９から離れて間隔をあけたままであるが、スプ−ル６０の円筒側面６２とバルブボディ５０の周囲の円筒内面７６との間の密接したフィットは、排出アニュラス７３への少ない漏れのみを許す。バルブ１８は従って、少ない漏れという所望の性能上の目標を達成するように構成され、バルブ１８が完全に開いている状況の場合には、供給圧力Ｐｓから排出アニュラス７３を十分に孤立させるために他の場合には必要とされ得る、軸上に隣接するバルブおよびバルブシート表面の使用なしに達成する。
【００３８】
代替案の排出スプール１００が図５に部分的に示される。上記したスプール６０と同様に、このスプール１００は、その円形外端面１０４がその円筒側面１０６に交わるコーナーにおいて円形スロットリングエッジ１０２を有する。低減された直径のシャフト１１０が、外端面１０４から同軸上に突き出る。ピントル１１２はシャフト１１０から同軸上に突き出る。スペーサ１１４は、スプール１００の円形外端面１０４から軸上に間隔をあけた位置において、シャフト１１０から放射状に突き出る。
【００３９】
図示される例において、スペーサ１１４はシャフト１１０の周りに周囲を取り巻くように離れて規則正しく間隔をあけられた円筒セグメントとして構成される。各スペーサ１１４は、円筒状の輪郭と円筒側面１０６と等しい直径とを有する放射状に広がる外面１１６を有する。この構成は、図６に示されるように、スペーサ１１４がスプール１００の軸３１に沿った移動をサポートおよびガイドするために、バルブボディ５０の第二のボア７７内に密接してフィットすることを可能にする。さらに詳しくは、近接するバルブボディ５０のスロットリングコーナー８０と所望されない接触を引き起こしうる調整不良なしに、スプール１００のスロットリングコーナー１０２が、第二のボア内へ、および第二のボアの外へ、同一中心で移動することを確実にすることを助けるように、スペーサ１１４が、スプール１００をサポートおよびガイドする。スペーサ１１４の間隔をあけられた位置が、スペーサ１１４を同軸上で通過してシャフト１１０の外側に放射状に広がる、介在する開領域１１９を提供する。開領域１１９は、作動液の流路として役目を担い、スペーサ１１４は、第二のボア７７を通る作動液の圧力の伝送に最小限の干渉を有する。
【００４０】
図７に示されるように、別の代替案の排出スプール１５０は、円形の外端面１５４が円筒側面１５６と交わるコーナーにおいて円形のスロットリングエッジ１５２を有する。図１のスプール６０とは異なり、スプール６０はその反対の端において２次元であり、図７のスプール１５０は、球状の輪郭を有する内端面１５８を有する。図５のスプール１００と比較すると、図７のスプール１５０は、その外端面１５４から同軸上に突き出る、より広いシャフト１６０を有し、外端面１５４は相応するように図５に示される外端面１０４よりも狭い。広いシャフト１６０上のスペーサ１６２は、円筒側面１５６と同じ外径を有し、図５に示されるスペーサ１１４よりも同様に狭い。従って、スペーサ１６２は、シャフト１６０上に軸上に延びる浅いチャネルの形状である、介在する開領域１６５を定義する。タペットまたはピントル１６６は、スプール１５０に圧入される。
【００４１】
図７の代替案のスプール１５０は、図８の部分図に詳細に示される代替案のバルブボディ２００に取り付けられる。このバルブボディ２００は、スプールガイドインサート２０２を含む複数の部分を有するように示される。インサート２０２は管状の部分であり、インサート２０２において、スプール１５０は長手方向の中心軸２０５に沿う前後にスライドする移動を受け、スライドする移動に対するサポートをする。インサート２０２の円筒内面２０６は、制御経路２０９と排出経路２１１とを連絡するボア２０７を定義する。円筒内面２０６は、上記されたスロットリングコーナー８０と同じ方法で機能するようにサイズを合わせられたスロットリングコーナーを定義する円形のエッジ２１２を有する。
【００４２】
アーマチャ２１６は、ソレノイドハウジング２１８から突き出て、スプール１５０の内端１５８に係合する（ｅｎｇａｇｅ）。内端１５８の丸い輪郭は、アーマチャ２１６がスプール１５０の中心に点接触を作ることを確実にする。ピントル１６６は、スプール１５０の外端において、供給圧力下で据え付けられるボール（示されていない）に係合されるように軸上で延びる。スプール１００上のスペーサ１１４が図６のボア７７内でスライドするようにサイズを合わせられることと同じ方法で、スプール１５０上のスペーサ１６２は、図８のボア２０７内でスライドするようにサイズを合わせられる。スペーサ１６２間のチャネル１６５は、ボア２０７を通る作動液の流路として役立つ。スペーサ１６２は、結果として、図８に示されるように、アーマチャ２１６が、最低の制御圧力を有する完全に閉じた位置から最高の制御圧力を有する完全に開いた位置へ進ませるためにスプール１５０を押す場合には、スプール１５０上の円形のスロットリングコーナー１５２をガイドして、同軸上でバルブボディ２００上の円形のスロットリングコーナー２１２に向かっておよび通過するように移動させる。
【００４３】
本発明の特許可能な範囲は、特許請求の範囲によって定義され、本発明がどのように構成され得、かつ使用され得るかに対する他の例を含み得る。このような他の例は、出願公開日の前後いずれにおいても利用可能であり得る。このような他の例が、本特許請求の範囲の文字通りの用語と異ならない構造上の要素を有する場合、またはこれらが、本特許請求の範囲の文字通りの用語と実質的な差異を有さない同等な構造上の要素を有する場合には、このような他の例は本特許請求の範囲内であると意図される。
【図面の簡単な説明】
【００４４】
【図１】図１は、圧力調整バルブを有する作動液回路の概略図である。
【図２】図２は、図１の圧力調整バルブの拡大された部分側面図である。
【図３】図３は、異なる位置における部分を示す図２と類似する図である。
【図４】図４は、異なる位置における部分を示す図２と類似する図である。
【図５】図５は、代替案のバルブ部分の部分的な透視図である。
【図６】図６は、図５の代替案のバルブ部分を含む、図２と類似する図である。
【図７】図７は、他の代替案のバルブ部分の側面図である。
【図８】図８は、別の圧力調整バルブの拡大された部分側面図である。
【符号の説明】
【００４５】
１０  装置
１２  リザーバ
１４  ポンプ
１６  ギアシフトバルブ
１８  圧力調整バルブ
２０  制御装置
３２  ソレノイドハウジング
３４  コイル
３６  アーマチャ
３８  バネ
５０  バルブボディ
５３、７７、８７  ボア
６０  スプール
７０  ピントル
７５  排出ポート
８３  制御ポート
９１  供給ポート
９６  ボール
【図１】
2007333211.tif 000003
【図２】
2007333211.tif 000004
【図３】
2007333211.tif 000005
【図４】
2007333211.tif 000006
【図５】
2007333211.tif 000007
【図６】
2007333211.tif 000008
【図７】
2007333211.tif 000009
【図８】
2007333211.tif 000010